(57)【要約】【課題】回路基板に取り付けられてコネクタ装置に備えられた係止部材による配線板状部材に装着された補強部材に対する係止及び係止解除を、容易に、かつ、係止部材の回路基板への取付け状態に悪影響を及ぼすことなく行える配線板状部材接続装置を提供する。【解決手段】絶縁ハウジング１１とＦＰＣ２１に装着された補強部材２０を係止する係止部材１７；１８とを備えたコネクタ装置１０を含んで構成され、係止部材が、絶縁ハウジングにおける端部１５；１６に固定される固定部２４；３４と、固定部から伸びて回路基板１２に固定される基板接続部２５；３５と、固定部から屈曲して回路基板から離隔する方向に伸びて弾性を有し、補強部材における係合端部２２；２３に弾性当接して当該係合端部を係止する当接係止部２６；３６と、当接係止部から屈曲して固定部に対向する方向に伸びて弾性変位可能とされた操作部２７；３７とを有したものとされる。【選択図】図１１
2015201393.tif 000002
【特許請求の範囲】
【請求項１】
回路基板上に配される絶縁ハウジング，該絶縁ハウジングに配列配置され、各々が上記回路基板における回路端子部に接続される回路接続部と上記絶縁ハウジングに対面配置される配線板状部材に配列配置された複数の接触端子部のうちの対応するものに接触接続される接点部とを有した複数の導電コンタクト、及び、上記絶縁ハウジングにおける上記複数の導電コンタクトの配列方向において対向する一対の端部の夫々に取り付けられた係止部材を有したコネクタ装置と、
上記配線板状部材に装着され、上記複数の接触端子部の配列方向における両端部の夫々が係合端部を形成し、上記配線板状部材が上記絶縁ハウジングに対面配置されたとき、上記係合端部が上記絶縁ハウジングにおける上記係止部材により係止されて、上記複数の導電コンタクトの各々に上記接点部が上記複数の接触端子部のうちの対応するものに接触接続された状態を維持させる補強部材と、
を備えて構成され、
上記係止部材が、上記絶縁ハウジングにおける上記端部に固定される固定部と、該固定部から伸びて上記回路基板に固定される基板接続部と、上記固定部から屈曲して上記回路基板から離隔する方向に伸びて弾性を有し、上記補強部材における上記係合端部に弾性当接して該係合端部を係止する当接係止部と、該当接係止部から屈曲して上記固定部に対向する方向に伸びて弾性変位可能とされた操作部とを有し、
上記当接係止部が上記係合端部に弾性当接して該係合端部を係止するもとで、上記操作部に該操作部を上記固定部に近付ける方向に弾性変位させる操作が加えられたとき、上記当接係止部が上記係合端部に対する係止を解除する、
ことを特徴とする配線板状部材接続装置。
【請求項２】
上記当接係止部が、上記補強部材における上記係合端部に係合して該係合端部の係止に関与する突出係合部分を有していることを特徴とする請求項１記載の配線板状部材接続装置。
【請求項３】
上記係止部材が、上記操作部から更に屈曲して伸びる当接係合部を有し、上記操作部に上記操作が加えられたとき、上記当接係合部が上記絶縁ハウジングにおける上記端部に当接係合して位置規制されることを特徴とする請求項１記載の配線板状部材接続装置。
【請求項４】
上記当接係合部が、上記当接係止部に対向する位置をとる先端部分を有し、上記当接係止部が上記補強部材における上記係合端部を係止するとき、上記先端部分が上記絶縁ハウジングにおける上記端部に当接係合して位置規制されることを特徴とする請求項３記載の配線板状部材接続装置。
【請求項５】
上記絶縁ハウジングにおける上記端部に、上記当接係合部の先端部分を位置規制するための規制面形成部分が設けられていることを特徴とする請求項４記載の配線板状部材接続装置。
【請求項６】
上記補強部材が、上記配線板状部材に装着されたとき該配線板状部材に沿って広がる平板状部と、上記複数の接触端子部の配列方向における上記平板状部の両端部の夫々に設けられて上記平板状部とで上記配線板状部材を挟む折返し部と、を有することを特徴とする請求項１記載の配線板状部材接続装置。
【請求項７】
上記折返し部が、上記配線板状部材に設けられた係合部に弾性係合して上記配線板状部材を係止する弾性係止部が設けられたものとされることを特徴とする請求項６記載の配線板状部材接続装置。
【発明の詳細な説明】
【技術分野】
【０００１】
本願の特許請求の範囲に記載された発明は、フレキシブル印刷配線基板（ＦＰＣ）あるいはフレキシブル平板状ケーブル（ＦＦＣ）とされる配線板状部材を、例えば、ソリッド印刷配線基板とされる回路基板に電気的に接続するものとして、回路基板に固定されたもとで当該配線板状部材が装着されて使用される配線板状部材接続装置に関する。
【背景技術】
【０００２】
各種の電子機器に実装される比較的小型なフレキシブル印刷配線基板やフレキシブル平板状ケーブル等の配線板状部材にあっては、各種の電気部品が取り付けられるソリッド印刷配線基板等の回路基板との接続が、当該回路基板に電気的接続がなされて固定されるコネクタ装置が用いられて行われることが多い。このような配線板状部材の回路基板との接続にあたって用いられるコネクタ装置は、それに配線板状部材が装着されるにあたり、配線板状部材が、コネクタ装置が固定された回路基板の面に沿う方向に移動せしめられて当該コネクタ装置に嵌合せしめられる第１の形式のものと、配線板状部材が、コネクタ装置が固定された回路基板の面に向かう方向に移動せしめられてコネクタ装置に嵌合せしめられる第２の形式のものとがある。以下においては、第１の形式のコネクタ装置を、水平嵌合型コネクタ装置といい、第２の形式のコネクタ装置を、垂直嵌合型コネクタ装置という。
【０００３】
水平嵌合型コネクタ装置を用いて配線板状部材の回路基板との接続を行う場合には、水平嵌合型コネクタ装置に対する配線板状部材の嵌合あるいは離脱を行うに際して、水平嵌合型コネクタ装置の周囲においてその水平嵌合型コネクタ装置が固定された回路基板の面に沿う方向における作業スペースが必要とされ、スペース利用効率の低下をきたすことになる。一方、垂直嵌合型コネクタ装置を用いて配線板状部材の回路基板との接続を行う場合には、スペース利用効率の低下を回避することはできるが、別の問題がもたらされることになる。
【０００４】
従来提案されている垂直嵌合型コネクタ装置は、回路基板上に配される絶縁ハウジングを備え、その絶縁ハウジングに回路基板の上方に向かって開口する配線板状部材装着部が形成されるとともに、配線板状部材装着部に各々が配線板状部材における接触端子部に接触接続される複数の導電コンタクトが配列配置されたものとされている。そして、斯かる垂直嵌合型コネクタ装置を用いて配線板状部材を回路基板に接続するにあたっては、配線板状部材における複数の接触端子部が設けられた部分を、垂直嵌合型コネクタ装置の絶縁ハウジングに形成された配線板状部材装着部にその開口を通じて嵌合させ、それにより、配線板状部材装着部に配列配置された複数の導電コンタクトが配線板状部材における複数の接触端子部に夫々接触接続される状態となす。斯かるもとで、垂直嵌合型コネクタ装置における複数の導電コンタクトは、絶縁ハウジングが配された回路基板における回路端子部に電気的に連結されており、その結果、配線板状部材が、複数の導電コンタクトを通じて、回路基板に電気的に接続されることになる（例えば、特許文献１参照。）。
【０００５】
特許文献１に示される垂直嵌合型コネクタ装置（ＦＰＣケーブル接続用コネクタ）にあっては、それが搭載される回路基板（プリント基板）上に配される絶縁ハウジング（インシュレータ(1))が備えられており、絶縁ハウジングは、回路基板の上方に向って開口する配線板状部材装着部（開口部）を有している。配線板状部材装着部には、複数の導電コンタクト（コンタクト(3))が配列配置されている。また、配線板状部材装着部における複数の導電コンタクトの配列方向の両端部には、一対の係止部材（係止用フック(4))が、配線板状部材装着部に配列配置された複数の導電コンタクトを挟んで設けられている。一対の係止部材の各々には、絶縁ハウジングの底部に配される基板接続部（ホールドダウン(7))が設けられており、また、係合部(4a)が形成されている。そして、一対の係止部材の各々は、基板接続部が回路基板に設けられた半田付け部に半田付けされて回路基板に取り付けられることにより、絶縁ハウジングにおける配線板状部材装着部の両端部に立設されたものとされている。
【０００６】
このような垂直嵌合型コネクタ装置の絶縁ハウジングが有する配線板状部材装着部に装着される配線板状部材（ＦＰＣケーブル(9))における複数の接触端子部が設けられた部分には、補強板(8) が取り付けられている。それにより、配線板状部材における複数の接触端子部が設けられた部分は、それに取り付けられた補強板(8) と共に、垂直嵌合型コネクタ装置における配線板状部材装着部に装着されることになる。
【０００７】
補強板(8) は、垂直嵌合型コネクタ装置における配線板状部材装着部に装着されたとき複数の導電コンタクトの配列方向に沿うことになる方向の両端部に、一対の突出部(8c)が夫々形成されたものとされている。これら一対の突出部(8c)の夫々は、 補強板(8) が配線板状部材装着部に装着されたとき、配線板状部材装着部の端部に立設された係止部材に形成された係合部(4a)に係合する状態をとる。
【０００８】
斯かるもとで、配線板状部材における複数の接触端子部が設けられた部分が、それに取り付けられた補強板(8) と共に、垂直嵌合型コネクタ装置における配線板状部材装着部に、その配線板状部材装着部を有する絶縁ハウジングが配された基板部材の面に向かう方向に移動せしめられて装着されたときには、配線板状部材装着部に配列配置された複数の導電コンタクトが、配線板状部材における複数の接触端子部に夫々接触接続される。また、それとともに、配線板状部材における複数の接触端子部が設けられた部分に取り付けられた補強板(8) の両端部に形成された一対の突出部(8c)が、配線板状部材装着部の両端部に立設された一対の係止部材の各々に形成された係合部(4a)に夫々係合し、それにより、補強板(8) が一対の係止部材によって係止された係止状態におかれる。
【０００９】
このようにして、配線板状部材における複数の接触端子部が設けられた部分に取り付けられた補強板(8) が、それが装着された配線板状部材装着部の両端部に立設された一対の係止部材によって係止された係止状態におかれることにより、配線板状部材装着部に配列配置された複数の導電コンタクトが配線板状部材における複数の接触端子部に夫々接触接続された状態が、安定に維持されることになる。
【先行技術文献】
【特許文献】
【００１０】
【特許文献１】実開平６−８８０８３号公報（頁６〜８，図１〜３）
【発明の概要】
【発明が解決しようとする課題】
【００１１】
上述のような、絶縁ハウジングが有する配線板状部材装着部に、それに装着された配線板状部材における複数の接触端子部が設けられた部分に取り付けられた補強板を係止する係止部材が立設されたものとされる、従来提案されている垂直嵌合型コネクタ装置にあっては、係止部材によって配線板状部材に取り付けられた補強板が係止されることにより、配線板状部材装着部に配列配置された複数の導電コンタクトが配線板状部材における複数の接触端子部に夫々接触接続された状態が安定に維持されることになる。しかしながら、配線板状部材装着部に装着された配線板状部材における複数の接触端子部が設けられた部分を、それに取り付けられた補強板と共に配線板状部材装着部から離脱させるべく、係止部材に補強板に対する係止を解除する係止解除状態をとらせるにあたって不都合が生じる。
【００１２】
即ち、垂直嵌合型コネクタ装置にあっても、その絶縁ハウジングが配される基板部材の面からの突出長をできるだけ小とすべくその厚みを比較的小なるものとする低背化が図られることが望まれる。そして、斯かる低背化が図られるときには、絶縁ハウジングが有する配線板状部材装着部に立設される係止部材の高さも比較的小なるものに抑えられることになり、このことが、下記のように、係止部材に補強板に対する係止を解除する係止解除状態をとらせることを困難にする。また、それに加えて、係止部材に補強板に対する係止を解除する係止解除状態をとらせようとする際に、係止部材にそれを変位させるべく加えられる操作力が、係止部材に設けられて回路基板に設けられた半田付け部に半田付けされた基板接続部に直接的に伝えられて、基板接続部の半田付け部との半田付け状態に下記のような悪影響を及ぼす。
【００１３】
係止部材に補強板に対する係止を解除する係止解除状態をとらせるには、補強板の端部に形成された突出部が係合した係合部を有した係止部材を、その弾力性を利用して配線板状部材装着部における複数の導電コンタクトの配列方向に沿って変位させ、それに形成された係合部を補強板の端部に形成された突出部から外すことが必要とされる。然るに、配線板状部材装着部に立設されてその高さが比較的小なるものに抑えられた係止部材は、比較的大なる剛性を有することになって、その弾力性を利用した複数の導電コンタクトの配列方向に沿う方向の変位を行わせ難いものとなってしまう。その結果、係止部材に補強板に対する係止を解除する係止解除状態をとらせるにあたって困難がもたらされる。
【００１４】
さらに、係止部材にそれを変位させるべく加えられる操作力が、係止部材に設けられて回路基板に設けられた半田付け部に半田付けされて回路基板に取り付けられた基板接続部に直接的に伝えられることにより、基板接続部と半田付け部とを溶着して固化した半田にクラックが生じてしまう虞がある。基板接続部と半田付け部とを溶着して固化した半田にこのようなクラックが生じると、基板接続部の回路基板に対する取付けが不安定となってしまう事態、あるいは、基板接続部が回路基板から剥離してしまう事態がまねかれ易くなる。
【００１５】
斯かる点に鑑み、本願の特許請求の範囲に記載された発明は、回路基板上に配されて複数の導電コンタクトが配列配置された絶縁ハウジングと、回路基板に取り付けられて設けられ、複数の接触端子部が設けられてそれらに複数の導電コンタクトを接触接続させるべく絶縁ハウジングに配置される配線板状部材に装着された補強部材に対する係止及び係止解除を行う係止部材と、を備えた垂直嵌合型コネクタ装置とされるコネクタ装置を含んだ配線板状部材接続装置であって、コネクタ装置についての低背化が図られたもとにおいても、コネクタ装置における係止部材による配線板状部材に装着された補強部材に対する係止及び係止解除を容易かつ確実に行えるととともに、係止部材に配線板状部材に装着された補強部材に対する係止を解除させるにあたり、係止部材の回路基板に対する取付け状態に悪影響を及ぼす事態を回避できるものを提供する。
【課題を解決するための手段】
【００１６】
本願の特許請求の範囲における請求項１から請求項７までのいずれかに記載された発明（以下、本発明という。）に係る配線板状部材接続装置は、回路基板上に配される絶縁ハウジング，絶縁ハウジングに配列配置され、各々が回路基板における回路端子部に接続される回路接続部と絶縁ハウジングに対面配置される配線板状部材に配列配置された複数の接触端子部のうちの対応するものに接触接続される接点部とを有した複数の導電コンタクト、及び、絶縁ハウジングにおける複数の導電コンタクトの配列方向において対向する一対の端部の夫々に取り付けられた係止部材を有したコネクタ装置と、配線板状部材に装着され、複数の接触端子部の配列方向における両端部の夫々が係合端部を形成し、配線板状部材が絶縁ハウジングに対面配置されたとき、係合端部が絶縁ハウジングにおける係止部材により係止されて、複数の導電コンタクトの各々に接点部が複数の接触端子部のうちの対応するものに接触接続された状態を維持させる補強部材と、を備えて構成される。そして、係止部材が、絶縁ハウジングにおける上述の端部に固定される固定部と、固定部から伸びて回路基板に固定される基板接続部と、固定部から屈曲して回路基板から離隔する方向に伸びて弾性を有し、補強部材における係合端部に弾性当接して係合端部を係止する当接係止部と、当接係止部から屈曲して固定部に対向する方向に伸びて弾性変位可能とされた操作部とを有し、当接係止部が係合端部に弾性当接してそれを係止するもとで、操作部にそれを固定部に近付ける方向に弾性変位させる操作が加えられたとき、当接係止部が係合端部に対する係止を解除することを特徴とするものとされる。
【００１７】
特に、本願の特許請求の範囲における請求項３に記載された本発明に係る配線板状部材接続装置にあっては、係止部材が、操作部から更に屈曲して伸びる当接係合部を有し、操作部にそれを固定部に近付ける方向に弾性変位させる操作が加えられたとき、当接係合部が絶縁ハウジングにおける端部に当接係合して位置規制される。
【００１８】
上述のような本発明に係る配線板状部材接続装置にあっては、配線板状部材がそれに装着された補強部材を伴ってコネクタ装置の絶縁ハウジングに対面配置されるとき、絶縁ハウジングに配列配置された複数の導電コンタクトの夫々の接点部が、配線板状部材における複数の接触端子部のうちの対応するものに接触接続されるとともに、配線板状部材に装着された補強部材における係合端部がコネクタ装置が有する係止部材により係止される。それにより、補強部材が、複数の導電コンタクトの各々に接点部が複数の接触端子部のうちの対応するものに接触接続された状態を維持させる。
【００１９】
このようなもとで、コネクタ装置が有する係止部材は、絶縁ハウジングにおける端部に固定される固定部と、固定部から伸びて回路基板に固定される基板接続部と、固定部から屈曲して回路基板から離隔する方向に伸びて弾性を有し、補強部材における係合端部に弾性当接してそれを係止する当接係止部と、当接係止部から屈曲して固定部に対向する方向に伸びて弾性変位可能とされた操作部とを有したものとされている。そして、当接係止部が係合端部に弾性当接してそれを係止するもとで、操作部にそれを固定部に近付ける方向に弾性変位させる操作が加えられたとき、当接係止部が係合端部から離隔してそれに対する係止を解除する。
【００２０】
さらに、本願の特許請求の範囲における請求項３に記載された本発明に係る配線板状部材接続装置の場合には、コネクタ装置が有する係止部材が、操作部から更に屈曲して伸びる当接係合部を有しており、操作部にそれを固定部に近付ける方向に弾性変位させる操作が加えられたとき、当接係合部が絶縁ハウジングにおける端部に当接係合して位置規制される。
【発明の効果】
【００２１】
本発明に係る配線板状部材接続装置においては、コネクタ装置が有する係止部材が、絶縁ハウジングにおける端部に固定される固定部と、固定部から伸びて回路基板に固定される基板接続部と、固定部から屈曲して回路基板から離隔する方向に伸びて弾性を有し、補強部材における係合端部に弾性当接してそれを係止する当接係止部と、当接係止部から屈曲して固定部に対向する方向に伸びて弾性変位可能とされた操作部とを有したものとされたもとで、配線板状部材がそれに装着された補強部材を伴ってコネクタ装置の絶縁ハウジングに対面配置されたとき、絶縁ハウジングに配列配置された複数の導電コンタクトの夫々の接点部が、配線板状部材における複数の接触端子部のうちの対応するものに接触接続されるとともに、係止部材の当接係止部が配線板状部材に装着された補強部材における係合端部に弾性当接してそれを係止し、また、当接係止部が係合端部に弾性当接してそれを係止するもとで、係止部材の操作部にそれを固定部に近付ける方向に弾性変位させる操作が加えられたとき、当接係止部が係合端部から離隔してそれに対する係止を解除する。斯かるもとで、係止部材において、操作部が、固定部から屈曲して回路基板から離隔する方向に伸びて弾性を有するものとされた当接係止部から屈曲して固定部に対向する方向に伸びるものとされていることにより、操作部にそれを固定部に近付ける方向に弾性変位させ、それによって、当接係止部に係合端部から離隔してそれに対する係止を解除する状態をとらせる操作は、極めて容易かつ確実に行えることになる。
【００２２】
上述のように、係止部材の当接係止部が配線板状部材に装着された補強部材における係合端部に弾性当接してそれを係止することにより、係止部材による補強部材に対する係止が行われ、また、上述のように、係止部材の当接係止部が配線板状部材に装着された補強部材における係合端部から離隔してそれに対する係止を解除することにより、係止部材による補強部材に対する係止解除が行われる。従って、本発明に係る配線板状部材接続装置によれば、コネクタ装置についての低背化が図られたもとにおいても、コネクタ装置が有する係止部材による配線板状部材に装着された補強部材に対する係止及び係止解除を容易かつ確実に行えることになる。
【００２３】
さらに、本発明に係る配線板状部材接続装置においては、コネクタ装置が有する係止部材が、絶縁ハウジングにおける端部に固定される固定部と、固定部から伸びて回路基板に固定される基板接続部と、固定部から屈曲して回路基板から離隔する方向に伸びて弾性を有し、補強部材における係合端部に弾性当接してそれを係止する当接係止部と、当接係止部から屈曲して固定部に対向する方向に伸びて弾性変位可能とされた操作部とを有したものとされていることにより、当接係止部が係合端部に弾性当接してそれを係止するもとで、当接係止部に係合端部から離隔してそれに対する係止を解除する状態をとらせるべく、操作部に加えられるそれを固定部に近付ける方向に弾性変位させる操作力は、弾性を具えて屈曲するものとされた操作部及び当接係止部によって吸収されて、回路基板に固定された基板接続部にまでは伝達されない。従って、本発明に係る配線板状部材接続装置によれば、係止部材に配線板状部材に装着された補強部材に対する係止を解除させるにあたって係止部材に加えられる操作力が、基板接続部が回路基板に固定されることによりとられる係止部材の回路基板に対する取付け状態に、例えば、基板接続部を回路基板から剥離させてしまうような悪影響を及ぼす事態を確実に回避できることになる。
【００２４】
また、本願の特許請求の範囲における請求項３に記載された本発明に係る配線板状部材接続装置にあっては、コネクタ装置が有する係止部材が、操作部から更に屈曲して伸びる当接係合部を有していて、操作部にそれを固定部に近付ける方向に弾性変位させる操作が加えられたとき、当接係合部が絶縁ハウジングにおける端部に当接係合して位置規制されるので、それにより、操作部が過度に弾性変位せしめられる事態が防がれ、操作部に加えられる操作力についての、弾性を具えて屈曲するものとされた操作部及び当接係止部による吸収がより一層効果的に行われる。
【図面の簡単な説明】
【００２５】
【図１】本発明に係る配線板状部材接続装置の一例を構成するコネクタ装置及び補強部材を、コネクタ装置が回路基板に固定されるとともに補強部材が配線板状部材に装着された状態をもって示す斜視図である。
【図２】図１に示されるコネクタ装置をそれから係止部材が分離された状態をもって示す斜視図である。
【図３】図２における二点鎖線枠Ａ内を拡大図示する部分斜視図である。
【図４】図１に示される補強部材を配線板状部材から分離された状態をもって示す斜視図である。
【図５】図１に示される補強部材及びそれが装着された配線板状部材を示す正面図である。
【図６】図５における VI −VI線断面を示す断面図である。
【図７】図１に示される補強部材及びそれが装着された配線板状部材を、配線板状部材に配列配置された複数の接触接続端子側から見た斜視図である。
【図８】図１に示される回路基板に固定されたコネクタ装置の絶縁ハウジングに図１に示される配線板状部材に装着された補強部材が対面配置された状態を示す斜視図である。
【図９】図１に示される回路基板に固定されたコネクタ装置の絶縁ハウジングに図１に示される配線板状部材に装着された補強部材が対面配置された状態を示す平面図である。
【図１０】図１に示される回路基板に固定されたコネクタ装置の絶縁ハウジングに図１に示される配線板状部材に装着された補強部材が対面配置された状態を示す正面図である。
【図１１】図９におけるXI−XI線断面を示す断面図である。
【図１２】図１１における二点鎖線枠Ｂ内を拡大図示する部分断面図である。
【図１３】図１０におけるXIII−XIII線断面を示す断面図である。
【図１４】図１に示される回路基板に固定されたコネクタ装置の絶縁ハウジングに図１に示される配線板状部材に装着された補強部材が対面配置されたもとで、係止部材における操作部が操作された状態を示す断面図である。
【図１５】図１４における二点鎖線枠Ｃ内を拡大図示する部分断面図である。
【発明を実施するための形態】
【００２６】
本発明を実施するための形態は、以下に述べられる本発明についての実施例をもって説明される。
【実施例】
【００２７】
図１は、本発明に係る配線板状部材接続装置の一例を構成するコネクタ装置及び補強部材を、コネクタ装置が回路基板に固定されるとともに補強部材が配線板状部材に装着された状態をもって示す。
【００２８】
図１において、本発明に係る配線板状部材接続装置の一例を構成するコネクタ装置であるコネクタ装置１０は、垂直嵌合型コネクタ装置を成すものとされており、合成樹脂等の絶縁材料によって形成された絶縁ハウジング１１を備えている。絶縁ハウジング１１は、例えば、ソリッド印刷配線基板とされる回路基板１２上に配されたものとされる。
【００２９】
絶縁ハウジング１１には、矩形枠状部を成す配線板状部材載置部１３が設けられており、配線板状部材載置部１３には、複数の導電コンタクト１４が配列配置されて固定されている。複数の導電コンタクト１４の夫々は、例えば、弾性金属材料によって形成されていて、後述される図１３にも示されるように、その一端が、絶縁ハウジング１１が配された回路基板１２における回路端子部（図示が省略されている。）に接続される回路接続部１４ａを成すものとされており、また、絶縁ハウジング１１における配線板状部材載置部１３から回路基板１２から離隔する方向に突出する接点部１４ｂを有している。
【００３０】
さらに、絶縁ハウジング１１における複数の導電コンタクト１４の配列方向において相互対向する一対の端部１５及び１６には、一対の係止部材１７及び１８が夫々取り付けられている。これらの一対の係止部材１７及び１８は、絶縁ハウジング１１における配線板状部材載置部１３を複数の導電コンタクト１４の配列方向において挟んで相互対向するものとされている。
【００３１】
また、本発明に係る配線板状部材接続装置の一例をコネクタ装置１０と共に構成する補強部材２０は、コネクタ装置１０の絶縁ハウジング１１における配線板状部材載置部１３に載置される配線板状部材を成すフレキシブル印刷配線基板２１（以下、ＦＰＣ２１という。）に装着されている。補強部材２０の長手方向における両端部は、係合端部２２及び２３を夫々形成している。そして、装着された補強部材２０を伴ったＦＰＣ２１が絶縁ハウジング１１における配線板状部材載置部１３に載置された際には、ＦＰＣ２１は絶縁ハウジング１１に対面配置されたものとされる。
【００３２】
図２は、コネクタ装置１０を、絶縁ハウジング１１における一対の端部１５及び１６に一対の係止部材１７及び１８が夫々取り付けられる直前の状態をもって示す。一対の係止部材１７及び１８の各々は、例えば、弾性金属板材料に打抜き・屈曲加工が施されて形成されている。なお、図２においては、絶縁ハウジング１１が配された回路基板１２は図示が省略されている。
【００３３】
図２における二点鎖線枠Ａ内を拡大図示する図３に示されるように、係止部材１７は、絶縁ハウジング１１の端部１５に固定される固定部２４と、固定部２４から伸びて回路基板１２に固定される基板接続部２５と、固定部２４から屈曲して回路基板１２から離隔する方向に伸びる当接係止部２６と、当接係止部２６から屈曲して固定部２４に対向する方向に伸びる操作部２７とを有している。さらに、係止部材１７は、操作部２７から更に屈曲して伸びる当接係合部２８も有している。
【００３４】
固定部２４の絶縁ハウジング１１の端部１５に対する固定は、固定部２４が絶縁ハウジング１１の端部１５に形成された係合孔２９に挿入せしめられてなされる。基板接続部２５の回路基板１２への固定は、例えば、基板接続部２５が回路基板１２に設けられた半田付け部に半田付けされることによりなされる。当接係止部２６は、弾性を有したものとされ、装着された補強部材２０を伴ったＦＰＣ２１が絶縁ハウジング１１における配線板状部材載置部１３に載置されたとき、補強部材２０における係合端部２２に弾性当接して当該係合端部２２を係止する。そして、当接係止部２６は、補強部材２０における係合端部２２に係合して当該係合端部２２の係止に関与する突出係合部分２６ａを有している。操作部２７は、それに固定部２４に向かう方向の力を作用させる操作が加えられたとき、固定部２４に近付く方向への弾性変位が可能なものとされている。
【００３５】
さらに、当接係合部２８は、操作部２７に上述の操作が加えられたとき、絶縁ハウジング１１の端部１５に設けられた規制部３０に当接係合して位置規制される。そして、当接係合部２８は、当接係止部２６に対向する位置をとる先端部分２８ａを有していて、当接係止部２６が補強部材２０における係合端部２２に弾性当接して当該係合端部２２を係止するとき、先端部分２８ａが絶縁ハウジング１１の端部１５に設けられた規制面形成部分３１に当接係合して位置規制される。
【００３６】
また、係止部材１８も、係止部材１７と同様に構成されており、絶縁ハウジング１１の端部１６に固定される固定部３４と、固定部３４から伸びて回路基板１２に固定される基板接続部３５と、固定部３４から屈曲して回路基板１２から離隔する方向に伸びる当接係止部３６と、当接係止部３６から屈曲して固定部３４に対向する方向に伸びる操作部３７とを有している。さらに、係止部材１８は、操作部３７から更に屈曲して伸びる当接係合部３８も有している。
【００３７】
固定部３４の絶縁ハウジング１１の端部１６に対する固定は、固定部３４が絶縁ハウジング１１の端部１６に形成された、端部１５における係合孔２９に相当する係合孔に挿入せしめられてなされる。基板接続部３５の回路基板１２への固定は、例えば、基板接続部３５が回路基板１２に設けられた半田付け部に半田付けされることによりなされる。当接係止部３６は、弾性を有したものとされ、装着された補強部材２０を伴ったＦＰＣ２１が絶縁ハウジング１１における配線板状部材載置部１３に載置されたとき、補強部材２０における係合端部２３に弾性当接して当該係合端部２３を係止する。そして、当接係止部３６は、補強部材２０における係合端部２３に係合して当該係合端部２３の係止に関与する突出係合部分３６ａを有している。操作部３７は、それに固定部３４に向かう方向の力を作用させる操作が加えられたとき、固定部３４に近付く方向への弾性変位が可能なものとされている。
【００３８】
さらに、当接係合部３８は、操作部３７に上述の操作が加えられたとき、絶縁ハウジング１１の端部１６に設けられた規制部４０に当接係合して位置規制される。そして、当接係合部３８は、当接係止部３６に対向する位置をとる先端部分３８ａを有していて、当接係止部３６が補強部材２０における係合端部２３に弾性当接して当該係合端部２３を係止するとき、先端部分３８ａが絶縁ハウジング１１の端部１６に設けられた、端部１５における規制面形成部分３１に相当する規制面形成部分に当接係合して位置規制される。
【００３９】
図４は、補強部材２０がＦＰＣ２１から取り外された状態を示す。補強部材２０は、例えば、弾性金属板材料に打抜き・屈曲加工が施されて形成されており、ＦＰＣ２１に装着されたとき当該ＦＰＣ２１に沿って広がる平板状部４５を有している。平板状部４５の長手方向は補強部材２０の長手方向と一致しており、その平板状部４５の長手方向において相互対向する一対の端部には係合端部２２及び２３が夫々形成されている。また、平板状部４５の長手方向に沿って伸びる端縁部分には、それから屈曲して伸びる係合規制部４６が設けられている。さらに、係合端部２２を形成する平板状部４５の端部には、それから折り返して伸びて平板状部４５に対向する折返し部４７が設けられており、また、係合端部２３を形成する平板状部４５の端部には、それから折り返して伸びて平板状部４５に対向する折返し部４８が設けられている。
【００４０】
ＦＰＣ２１は、それにおける相互対向する一対の側縁部分に、各々が切欠き部を形成する一対の係合部５０及び５１が夫々設けられたものとされている。斯かる一対の係合部５０及び５１は、各々が、切欠き部に代えて、透孔を形成するものとされてもよい。
【００４１】
補強部材２０は、図５，図５におけるVI−VI線断面を示す図６、及び、図７に示されるように、ＦＰＣ２１に装着される。その際、ＦＰＣ２１は、その端縁部分２１ａが補強部材２０における平板状部４５の端縁部分に設けられた係合規制部４６に当接することによって、補強部材２０に対して位置規制される。また、補強部材２０における平板状部４５の一対の端部に夫々設けられた折返し部４７及び４８の各々が、平板状部４５とでＦＰＣ２１における側縁部分を挟んで、ＦＰＣ２１を保持する。
【００４２】
そして、図６及び図７に示されるように、折返し部４７に設けられた弾性係止部５２が、ＦＰＣ２１における側縁部分に設けられた係合部５０に係合してＦＰＣ２１を係止する。同様に、図７に示されるように、折返し部４８に設けられた弾性係止部５３が、ＦＰＣ２１における側縁部分に設けられた係合部５１に係合してＦＰＣ２１を係止する。それにより、折返し部４７と平板状部４５とがＦＰＣ２１における側縁部分を挟むとともに、折返し部４８と平板状部４５とがＦＰＣ２１における側縁部分を挟んだ状態が安定に維持される。
【００４３】
図７に示されるように、ＦＰＣ２１には、複数の接触端子部５５が、補強部材２０の長手方向に沿って配列配置されている。従って、補強部材２０がＦＰＣ２１に装着されたもとにあっては、補強部材２０の長手方向（補強部材２０における平板状部４５の長手方向）とＦＰＣ２１における複数の接触端子部５５の配列方向とが一致し、補強部材２０における係合端部２２及び２３は、補強部材２０が備える、複数の接触端子部５５の配列方向における両端部が、夫々形成するものとされていることになる。ＦＰＣ２１に配列配置された複数の接触端子部５５は、ＦＰＣ２１における回路形成部５６に連結されている。そして、補強部材２０に設けられた折返し部４７及び４８が、ＦＰＣ２１に配列配置された複数の接触端子部５５を挟んで相互対向する位置をとるものとされている。
【００４４】
上述のようにして補強部材２０がＦＰＣ２１に装着されて、装着された補強部材２０を伴うものとされたＦＰＣ２１は、図８、図９及び図１０に示されるように、コネクタ装置１０の絶縁ハウジング１１における配線板状部材載置部１３に載置されて、回路基板１２上に配された絶縁ハウジング１１に対面配置される。このとき、ＦＰＣ２１は、複数の接触端子部５５が配列配置された面を絶縁ハウジング１１における配線板状部材載置部１３に対面させる。
【００４５】
斯かるもとにおいては、図９におけるXI−XI線断面を示す図１１、及び、図１１における二点鎖線枠Ｂ内を拡大図示する図１２に示されるように、コネクタ装置１０における絶縁ハウジング１１の端部１５に取り付けられた係止部材１７における当接係止部２６が、ＦＰＣ２１に装着された補強部材２０における係合端部２２に弾性当接して当該係合端部２２を係止する。その際、当接係止部２６は、それが有する突出係合部分２６ａを係合端部２２に係合させてそれに対する係止に関与させ、それにより、係合端部２２が当接係合部２６により確実かつ安定に係止される。さらに、このとき、係止部材１７における当接係合部２８の先端部分２８ａが、絶縁ハウジング１１の端部１５に設けられた規制面形成部分３１に当接係合して位置規制される。それにより、当接係止部２６による係合端部２２に対する係止がより一層安定に行われる。
【００４６】
また、図１１に示されるように、コネクタ装置１０における絶縁ハウジング１１の端部１６に取り付けられた係止部材１８における当接係止部３６も、係止部材１７における当接係止部２６と同様に、ＦＰＣ２１に装着された補強部材２０における係合端部２３に弾性当接して当該係合端部２３を係止する。その際、当接係止部３６は、それが有する突出係合部分３６ａを係合端部２３に係合させてそれに対する係止に関与させ、それにより、係合端部２３が当接係止部３６により確実かつ安定に係止される。さらに、このとき、係止部材１８における当接係合部３８の先端部分３８ａが、絶縁ハウジング１１の端部１６に設けられた、端部１５における規制面形成部分３１に相当する規制面形成部分に当接係合して位置規制される。それにより、当接係止部３６による係合端部２３に対する係止がより一層安定に行われる。
【００４７】
このようにして、コネクタ装置１０における絶縁ハウジング１１の端部１５に取り付けられた係止部材１７における当接係止部２６によって補強部材２０における係合端部２２が係止されるとともに、コネクタ装置１０における絶縁ハウジング１１の端部１６に取り付けられた係止部材１８における当接係止部３６によって補強部材２０における係合端部２３が係止されることにより、ＦＰＣ２１に装着された補強部材２０が係止部材１７及び１８によって係止されることになる。その結果、装着された補強部材２０を伴うものとされたＦＰＣ２１がコネクタ装置１０の絶縁ハウジング１１における配線板状部材載置部１３に載置された状態が安定に維持される。
【００４８】
また、図１０におけるXIII−XIII線断面を示す図１３に示されるように、絶縁ハウジング１１における配線板状部材載置部１３に配列配置されて固定された複数の導電コンタクト１４の各々が、配線板状部材載置部１３において回路基板１２から離隔する方向に突出する接点部１４ｂを、ＦＰＣ２１に配列配置された複数の接触端子部５５のうちの対応するものに接触接続させる。それにより、ＦＰＣ２１における複数の接触端子部５５が、コネクタ装置１０が有する複数の導電コンタクト１４に夫々電気的に接続される。複数の導電コンタクト１４の各々は、回路基板１２における回路端子部に接続された回路接続部１４ａが設けられたものとされているので、補強部材２０を伴って配線板状部材載置部１３に載置されたＦＰＣ２１が、コネクタ装置１０を介して、コネクタ装置１０の絶縁ハウジング１１が配された回路基板１２に電気的に接続される。
【００４９】
このとき、ＦＰＣ２１に装着された補強部材２０がコネクタ装置１０における係止部材１７及び１８によって係止されていて、補強部材２０を伴うものとされたＦＰＣ２１がコネクタ装置１０の絶縁ハウジング１１における配線板状部材載置部１３に載置された状態が安定に維持されるので、コネクタ装置１０における複数の導電コンタクト１４の接点部１４ｂがＦＰＣ２１に配列配置された複数の接触端子部５５に夫々接触接続された状態が、安定に維持される。
【００５０】
その後、補強部材２０が装着されたＦＰＣ２１が、コネクタ装置１０の絶縁ハウジング１１における配線板状部材載置部１３から離脱せしめられる際には、図１４に示されるように、コネクタ装置１０における絶縁ハウジング１１の端部１５に取り付けられた係止部材１７における操作部２７が、それを係止部材１７における固定部２４に近付ける方向に弾性変位させる操作が加えられたものとされるとともに、コネクタ装置１０における絶縁ハウジング１１の端部１６に取り付けられた係止部材１８における操作部３７が、それを係止部材１８における固定部３４に近付ける方向に弾性変位させる操作が加えられたものとされる。
【００５１】
図１４における二点鎖線枠Ｃ内を拡大図示する図１５にも示されるように、係止部材１７における操作部２７は、それを係止部材１７における固定部２４に近付ける方向に弾性変位させる操作が加えられたときには、それに伴って、係止部材１７における当接係止部２６及びそれが有する突出係合部分２６ａをＦＰＣ２１に装着された補強部材２０における係合端部２２から離隔させるべく、当接係止部２６に弾性変位を生じさせる。それにより、当接係止部２６が、補強部材２０における係合端部２２に対する係止を解除する。また、このとき、係止部材１７における操作部２７の弾性変位に伴って変位した係止部材１７における当接係合部２８が、絶縁ハウジング１１の端部１５に設けられた規制部３０に当接して位置規制される。それにより、操作部２７についての係止部材１７における固定部２４に近付く方向への過度な弾性変位が回避されるとともに、当接係止部２６についての補強部材２０における係合端部２２から離隔する方向への過度な弾性変位が回避される。
【００５２】
斯かる際に、係止部材１７における操作部２７に加えられる、それを係止部材１７における固定部２４に近付ける方向に弾性変位させる操作力は、弾性を具えて屈曲するものとされた操作部２７及び当接係止部２６によって吸収されて、例えば、回路基板１２に設けられた半田付け部に半田付けされることにより回路基板１２に固定された係止部材１７における基板接続部２５にまでは伝達されない。
【００５３】
同様に、係止部材１８における操作部３７は、それを係止部材１８における固定部３４に近付ける方向に弾性変位させる操作が加えられたときには、それに伴って、係止部材１８における当接係止部３６及びそれが有する突出係合部分３６ａをＦＰＣ２１に装着された補強部材２０における係合端部２３から離隔させるべく、当接係止部３６に弾性変位を生じさせる。それにより、当接係止部３６が、補強部材２０における係合端部２３に対する係止を解除する。また、このとき、係止部材１８における操作部３７の弾性変位に伴って変位した係止部材１８における当接係合部３８が、絶縁ハウジング１１の端部１６に設けられた規制部４０に当接して位置規制される。それにより、操作部３７についての係止部材１８における固定部３４に近付く方向への過度な弾性変位が回避されるとともに、当接係止部３６についての補強部材２０における係合端部２３から離隔する方向への過度な弾性変位が回避される。
【００５４】
斯かる際に、係止部材１８における操作部３７に加えられる、それを係止部材１８における固定部３４に近付ける方向に弾性変位させる操作力は、弾性を具えて屈曲するものとされた操作部３７及び当接係止部３６によって吸収されて、例えば、回路基板１２に設けられた半田付け部に半田付けされることにより回路基板１２に固定された係止部材１８における基板接続部３５にまでは伝達されない。
【００５５】
このようにして、係止部材１７における当接係止部２６が、補強部材２０における係合端部２２に対する係止を解除するとともに、係止部材１８における当接係止部３６が、補強部材２０における係合端部２３に対する係止を解除したもとにあっては、補強部材２０が装着されたＦＰＣ２１を、コネクタ装置１０の絶縁ハウジング１１における配線板状部材載置部１３から適正に離脱させることができる。
【００５６】
なお、操作が加えられることにより、係止部材１７における固定部２４に近付く方向に弾性変位せしめられた係止部材１７における操作部２７は、それに加えられた操作が加えられなくなると、自らの弾性によって、係止部材１７における当接係止部２６を伴って元に戻る。同様に、操作が加えられることにより、係止部材１８における固定部３４に近付く方向に弾性変位せしめられた係止部材１８における操作部３７は、それに加えられた操作が加えられなくなると、自らの弾性によって、係止部材１８における当接係止部３６を伴って元に戻る。
【００５７】
上述のようなコネクタ装置１０とＦＰＣ２１に装着された補強部材２０とを備えて構成される本発明に係る配線板状部材接続装置の一例にあっては、コネクタ装置１０が有する係止部材１７及び１８の夫々が、絶縁ハウジング１１における端部１５または１６に固定される固定部２４または３４と、固定部２４または３４から伸びて回路基板１２に固定される基板接続部２５または３５と、固定部２４または３４から屈曲して回路基板１２から離隔する方向に伸びて弾性を有し、補強部材２０における係合端部２２または２３に弾性当接してそれを係止する当接係止部２６または３６と、当接係止部２６または３６から屈曲して固定部２４または３４に対向する方向に伸びて弾性変位可能とされた操作部２７または３７とを有したものとされる。そして、斯かるもとで、ＦＰＣ２１がそれに装着された補強部材２０を伴ってコネクタ装置１０の絶縁ハウジング１１に対面配置されたとき、絶縁ハウジング１１に配列配置された複数の導電コンタクト１４の夫々の接点部１４ｂが、ＦＰＣ２１における複数の接触端子部５５のうちの対応するものに接触接続されるとともに、係止部材１７または１８の当接係止部２６または３６がＦＰＣ２１に装着された補強部材２０における係合端部２２または２３に弾性当接してそれを係止し、また、当接係止部２６または３６が係合端部２２または２３に弾性当接してそれを係止するもとで、係止部材１７または１８の操作部２７または３７にそれを固定部２４または３４に近付ける方向に弾性変位させる操作が加えられたとき、当接係止部２６または３６が係合端部２２または２３から離隔してそれに対する係止を解除する。
【００５８】
このような本発明に係る配線板状部材接続装置の一例においては、係止部材１７または１８において、操作部２７または３７が、固定部２４または３４から屈曲して回路基板１２から離隔する方向に伸びて弾性を有するものとされた当接係止部２６または３６から屈曲して固定部２４または３４に対向する方向に伸びるものとされていることにより、操作部２７または３７にそれを固定部２４または３４に近付ける方向に弾性変位させ、それによって、当接係止部２６または３６に補強部材２０における係合端部２２または２３から離隔してそれに対する係止を解除する状態をとらせる操作は、極めて容易かつ確実に行えることになる。
【００５９】
そして、上述のように、係止部材１７または１８の当接係止部２６または３６が、ＦＰＣ２１に装着された補強部材２０における係合端部２２または２３に弾性当接してそれを係止することにより、係止部材１７または１８による補強部材２０に対する係止が行われ、また、上述のように、係止部材１７または１８の当接係止部２６または３６が、ＦＰＣ２１に装着された補強部材２０における係合端部２２または２３から離隔してそれに対する係止を解除することにより、係止部材１７または１８による補強部材２０に対する係止解除が行われる。従って、本発明に係る配線板状部材接続装置の一例によれば、コネクタ装置１０についての低背化が図られたもとにおいても、コネクタ装置１０が有する係止部材１７または１８によるＦＰＣ２１に装着された補強部材２０に対する係止及び係止解除を容易かつ確実に行えることになる。
【００６０】
さらに、上述の本発明に係る配線板状部材接続装置の一例においては、コネクタ装置１０が有する係止部材１７または１８が、絶縁ハウジング１１における端部１５または１６に固定される固定部２４または３４と、固定部２４または３４から伸びて回路基板１２に固定される基板接続部２５または３５と、固定部２４または３４から屈曲して回路基板１２から離隔する方向に伸びて弾性を有し、補強部材２０における係合端部２２または２３に弾性当接してそれを係止する当接係止部２６または３６と、当接係止部２６または３６から屈曲して固定部２４または３４に対向する方向に伸びて弾性変位可能とされた操作部２７または３７とを有したものとされていることにより、当接係止部２６または３６が補強部材２０における係合端部２２または２３に弾性当接してそれを係止するもとで、当接係止部２６または３６に係合端部２２または２３から離隔してそれに対する係止を解除する状態をとらせるべく、操作部２７または３７に加えられるそれを固定部２４または３４に近付ける方向に弾性変位させる操作力は、弾性を具えて屈曲するものとされた操作部２７または３７及び当接係止部２６または３６によって吸収されて、回路基板１２に固定される基板接続部２５または３５にまでは伝達されない。従って、本発明に係る配線板状部材接続装置の一例によれば、係止部材１７または１８にＦＰＣ２１に装着された補強部材２０に対する係止を解除させるにあたって係止部材１７または１８に加えられる操作力が、基板接続部２５または３５が回路基板１２に固定されることによりとられる係止部材１７または１８の回路基板１２に対する取付け状態に、例えば、基板接続部２５または３５を回路基板１２から剥離させてしまうような悪影響を及ぼす事態を確実に回避できることになる。
【００６１】
それに加えて、上述の本発明に係る配線板状部材接続装置の一例にあっては、コネクタ装置１０が有する係止部材１７または１８が、操作部２７または３７から更に屈曲して伸びる当接係合部２８または３８を有していて、操作部２７または３７にそれを固定部２４または３４に近付ける方向に弾性変位させる操作が加えられたとき、当接係合部２８または３８が絶縁ハウジング１１における端部１５または１６に当接係合して位置規制されるので、それにより、操作部２７または３７が過度に弾性変位せしめられる事態が防がれ、操作部２７または３７に加えられる操作力についての、弾性を具えて屈曲するものとされた操作部２７または３７及び当接係止部２６または３６による吸収がより一層効果的に行われる。
【産業上の利用可能性】
【００６２】
以上のような本発明に係る配線板状部材接続装置は、複数の導電コンタクトが配列配置されて回路基板上に配され、配線板状部材がそれにおける複数の接触端子部を複数の導電コンタクトに接触接続させるべく配置される絶縁ハウジングと、回路基板に取り付けられて配線板状部材に装着された補強部材に対する係止及び係止解除を行う係止部材と、を備えた垂直嵌合型コネクタ装置とされるコネクタ装置を含んだ配線板状部材接続装置であって、コネクタ装置についての低背化が図られたもとにおいても、コネクタ装置における係止部材による配線板状部材に装着された補強部材に対する係止及び係止解除を容易かつ確実に行えるととともに、係止部材に配線板状部材に装着された補強部材に対する係止を解除させるにあたり、係止部材の回路基板に対する取付け状態に悪影響を及ぼす事態を回避できるものとして、様々な電子機器等に広く適用され得るものである。
【符号の説明】
【００６３】
１０・・・コネクタ装置，  １１・・・絶縁ハウジング，  １２・・・回路基板，  １３・・・配線板状部材載置部，  １４・・・導電コンタクト，  １４ａ・・・回路接続部，  １４ｂ・・・接点部，  １５，１６・・・（絶縁ハウジング１１の）端部，  １７，１８・・・係止部材，  ２０・・・補強部材，  ２１・・・ＦＰＣ（フレキシブル印刷配線基板），  ２２，２３・・・係合端部，  ２４，３４・・・固定部，  ２５，３５・・・基板接続部，  ２６，３６・・・当接係止部，  ２７，３７・・・操作部，  ２８，３８・・・当接係合部，  ２８ａ・・・（当接係合部２８の）先端部分，  ２９・・・係合孔，  ３０，４０・・・規制部，  ３１・・・規制面形成部分，  ３８ａ・・・（当接係合部３８の）先端部分，  ４５・・・平板状部，  ４６・・・係合規制部，  ４７，４８・・・折返し部，  ５０，５１・・・係合部，  ５２，５３・・・弾性係止部，  ５５・・・接触端子部，  ５６・・・回路形成部
【図１】
2015201393.tif 000003
【図２】
2015201393.tif 000004
【図３】
2015201393.tif 000005
【図４】
2015201393.tif 000006
【図５】
2015201393.tif 000007
【図６】
2015201393.tif 000008
【図７】
2015201393.tif 000009
【図８】
2015201393.tif 000010
【図９】
2015201393.tif 000011
【図１０】
2015201393.tif 000012
【図１１】
2015201393.tif 000013
【図１２】
2015201393.tif 000014
【図１３】
2015201393.tif 000015
【図１４】
2015201393.tif 000016
【図１５】
2015201393.tif 000017